(57)【要約】【課題】  端子の接触面積を広げて、充電性能を向上させた同一面に複数巻き接点を有するワイヤ端子構造を提供することにある。【解決手段】  複数巻き接点を有するワイヤ端子と、前記複数巻き接点を有するワイヤ端子を突出する為の角孔を設けている上ケースと、前記複数巻き接点を有するワイヤ端子を装着する為の位置決め軸を設けている端子ホルダと、前記端子ホルダに設けられている嵌合爪と嵌合し、前記複数巻き接点へ電力を供給する回路を含む回路基板と、前記上ケースと嵌合し、前記回路基板を収納する充電機器の筐体を構成する下ケースと、を有し、前記複数巻き接点を有するワイヤ端子は、同一面に複数の接点が形成されるように一本のワイヤ線をフォーミング加工した複数巻き接点を有することを特徴とする。【選択図】    図２
2017103982.tif 000002
【特許請求の範囲】
【請求項１】
充電機器における複数巻き接点を有するワイヤ端子構造であって、
複数巻き接点を有するワイヤ端子と、前記複数巻き接点を有するワイヤ端子を突出する為の角孔を設けている上ケースと、前記複数巻き接点を有するワイヤ端子を装着する為の位置決め軸を設けている端子ホルダと、前記端子ホルダに設けられている嵌合爪と嵌合し、前記複数巻き接点へ電力を供給する回路を含む回路基板と、前記上ケースと嵌合し、前記回路基板を収納する充電機器の筐体を構成する下ケースと、を有し、
前記複数巻き接点を有するワイヤ端子は、同一面に複数の接点が形成されるように一本のワイヤ線をフォーミング加工した複数巻き接点を有することを特徴とする複数巻き接点を有するワイヤ端子構造。
【発明の詳細な説明】
【技術分野】
【０００１】
本発明は、複数巻き接点を有するワイヤ端子構造に関する。
【背景技術】
【０００２】
従来、充電機器（例えば、コードレス子機の充電台等）の端子構造は、単一接点の板バネ端子又はワイヤ端子構造が一般的である（例えば、特許文献１）。
【０００３】
しかしながら、特許文献１に記載された端子構造は、端子が単一接点の為、充電される相手側の端子との接触面積が小さく、端子の充電部と同じサイズの小さい異物が挟んだ場合、充電不良が発生してしまうという問題がある。
【先行技術文献】
【特許文献】
【０００４】
【特許文献１】特開２０１３−３１２４５号公報
【発明の概要】
【発明が解決しようとする課題】
【０００５】
そこで、本発明は端子の接触面積を広げて、充電性能を向上させた同一面に複数巻き接点を有するワイヤ端子構造を提供することにある。
【課題を解決するための手段】
【０００６】
上記の課題を解決するために、本発明は、充電機器における複数巻き接点を有するワイヤ端子構造であって、複数巻き接点を有するワイヤ端子と、前記複数巻き接点を有するワイヤ端子を突出する為の角孔を設けている上ケースと、前記複数巻き接点を有するワイヤ端子を装着する為の位置決め軸を設けている端子ホルダと、前記端子ホルダに設けられている嵌合爪と嵌合し、前記複数巻き接点へ電力を供給する回路を含む回路基板と、前記上ケースと嵌合し、前記回路基板を収納する充電機器の筐体を構成する下ケースと、を有し、前記複数巻き接点を有するワイヤ端子は、同一面に複数の接点が形成されるように一本のワイヤ線をフォーミング加工した複数巻き接点を有することを特徴とする。
【発明の効果】
【０００７】
本発明によれば、同一面に複数の接点が形成されるように一本のワイヤ線をフォーミング加工した充電性能が優れ、且つ横方向の耐力が優れる複数巻き接点を有するワイヤ端子構造を提供できる。
【図面の簡単な説明】
【０００８】
【図１】本発明の実施の一形態に係る充電機器の外観図
【図２】(a)本発明の実施の一形態に係る充電機器の構成を示す分解図(b)複数巻き接点
【発明を実施するための形態】
【０００９】
以下に、充電機器を例に、図面を参照しながら、本発明の実施の一形態について説明する。ただし、以下の説明は、あくまでも本発明の例示にすぎず、以下の記載によって発明の技術的範囲が限定されるものではない。
【００１０】
図１は、本発明の実施の一形態に係る充電機器１の外観図である。充電機器１の筐体は上ケース３と下ケース４から構成される。充電端子２は充電機器１の内部から外部へ突出している構造である。
【００１１】
図２(ａ)は、本発明の実施の一形態に係る充電機器１の構成を示す分解図である。図示するように充電機器１は、充電端子２と、上ケース３と、下ケース４と、端子ホルダ５と、回路基板６と、から構成される。図２(ｂ)は、複数巻き接点を有するワイヤ端子、充電端子２の拡大図である。
【００１２】
充電機器１は、充電される機器(例えばコードレス子機)に搭載される二次電池を充電する機器である。
【００１３】
充電端子２は、複数巻き接点を有するワイヤ端子である。充電端子２は充電端子接点２０と充電端子位置決め孔２１と充電端子挿入部２２が設けられている。
【００１４】
上ケース３と下ケース４は、充電機器１を構成する筐体である。上ケース３は充電端子孔３０が設けられている。
【００１５】
端子ホルダ５は、樹脂成形品である。端子ホルダ５は位置決め軸５０と嵌合爪５１が設けられている。
【００１６】
回路基板６は、電力を供給する回路が搭載され、嵌合孔６０と貫通孔６１が設けられている。
【００１７】
充電端子２の中央部に設けられている円状の充電端子位置決め孔２１を端子ホルダ５の左右対称に設けられている十字位置決め軸５０に合わせ、端子ホルダ５の左右に充電端子２を１本ずつ装着する。
【００１８】
嵌合爪５１は、それぞれ対向する位置に設けられた嵌合孔６０と嵌合し、端子ホルダ５は回路基板６の中央部付近に固定する。尚、本実施例において嵌合爪５１と嵌合孔６０は上下２箇所ずつ設けているが、位置と数は問わない。
【００１９】
充電端子挿入部２２は、それぞれ対向する位置に設けられた貫通孔６１に挿入し、半田付けすることにより、充電端子２は回路基板６に搭載されている電力を供給する回路と接続される。
【００２０】
回路基板６は、充電端子２と端子ホルダ５を装着した状態で上ケース３の所定位置に装着し、充電端子接点２０は充電端子孔３０より充電機器１の内部から外部へ突出させる。充電端子接点２０は外部へ突出している為、充電される機器の端子と接触可能となる。充電端子接点２０は、充電される機器の端子と接触し、充電電流を充電される機器に伝達する。
【００２１】
充電端子２の素材はワイヤ線の為、板バネ端子に比べると、安価である。尚、バネ定数が小さい為、充電端子の動作領域に対して、端子の接触圧の変動量が少なく、常に理想的な接点圧を与えられる利点がある。
【００２２】
充電端子２は一本のワイヤ線のフォーミング加工により形成している為、加工がし易い。
【００２３】
充電端子２は同一面に複数巻き接点を有する為、充電される機器の端子との接触面積が大きく、小さい異物が挟んでも、充電可能であり、充電性能が従来品より優れている。且つ、横方向の面積を増やすことにより、充電端子２は横方向の耐力が従来品より優れている。
【００２４】
本実施例において充電端子接点２０は２重であるが、充電性能及び横方向に対する強度に応じて、２重巻き以上であれば、端子の接点数は問わない。
【００２５】
以上説明した通り、本発明によれば、同一面に複数の接点が形成されるように一本のワイヤ線をフォーミング加工した充電性能が優れ、且つ横方向の耐力が優れる複数巻き接点を有するワイヤ端子構造を提供できる
【符号の説明】
【００２６】
１…充電機器、２…充電端子、３…上ケース、４…下ケース、５…端子ホルダ、６…回路基板、２０…充電端子接点、２１…充電端子位置決め孔、２２…充電端子挿入部、３０…充電端子孔、５０…位置決め軸、５１…嵌合爪、６０…嵌合孔、６１…貫通孔
【図１】
2017103982.tif 000003
【図２】
2017103982.tif 000004